(57)【要約】【課題】  洗浄が容易で、箸が容易に離脱せず且つ箸置きとしても利用可能な箸おさめを提供することにある。【解決手段】側面壁１０ｃ、１０ｄから内側に突出した突出部１４の先端部は箸１２ａ、１２ｂの側面に当接している。底面壁１０ｃから突出した略円柱状の部材１６は突出部１４の左方側に配置されている。箸を箸おさめ本体１０の右端開口部Ａから挿入すると、箸は部材１６により矢視イ、ロの方への力を受けこの力は突出部１４を梃子の支点として箸の右端部に示す矢視イ、ロのように箸を互いに当接させるよう作用する。突出部１４ａは、部材１６を中心にして突出部１４と略左右対称な位置に設けられることが可能である。このように、突出部１４、１４ａを設けることで、いずれの開口部Ａ、Ｂからでも箸を挿入することができる。【選択図】図１
2009273854.tif 000002
【特許請求の範囲】
【請求項１】
箸おさめ本体の外側面の一部が箸置きとして利用可能であり、一膳の箸のそれぞれを、その長手方向側面の所定部位にて保持する保持部を前記本体の内側に備えたことを特徴とする箸おさめ。
【請求項２】
前記箸おさめ本体は、両端部が開口した筒状、好適には４角形の筒状であって横側面壁に対応する一対の対向する第１内壁および上下の側面壁に対応する一対の対向する第２内壁を有しており、前記保持部は、一膳の箸のそれぞれの先端側が挿入される前記一方の開口端から前記箸の挿入方向に第１の所定間隔を隔てた位置にてそれぞれの箸に隣接する前記第１内壁からそれぞれ突出した部材からなる第１の保持部と、前記第１の保持部から前記他方の開口端の方へ第２の所定間隔を隔てた位置で且つ前記一対の対向する第１内壁の間の中間位置にて前記第２内壁から突出した部材からなる第２の保持部と、を備えたことを特徴とする請求項１に記載された箸おさめ。
【請求項３】
前記保持部には、前記一対の対向する第１内壁の間の中間位置で且つ前記箸の挿入方向に関して前記一方の開口端と前記第１の保持部との間に設けられ前記第２内壁から突出した部材からなる第３の保持部をさらに備えたことを特徴とする請求項２に記載された箸おさめ。
【請求項４】
前記第１、第２および第３の保持部の少なくとも１つは、前記箸の挿入方向に対し直角方向に弾性変形可能な部材で形成されていることを特徴とする請求項１または２に記載された箸おさめ。
【請求項５】
前記第１および／または第２内壁の一部または全部は透明な部材で形成され箸の挿入状態を可視化したことを特徴とする請求項２乃至４のいずれか１項に記載された箸おさめ。
【請求項６】
前記箸おさめ本体には、箸の挿入方向に関し前記第２保持部を中心にして略対称な位置に前記第１保持部および／または第３保持部を備えたことを特徴とする請求項２乃至５のいずれか１項に記載された箸おさめ。
【請求項７】
前記箸おさめ本体は、箸の挿入方向から見てメガネ状をした一対の略円形の開口部を有し、同開口部内周面にはそれぞれリング状の溝が設けられており、前記保持部は、前記リング状の溝に埋め込みまたは嵌め込まれたリング状弾性部材でその内径部は前記開口部内周面よりも小径に形成されていることを特徴とする請求項１に記載された箸おさめ。
【発明の詳細な説明】
【技術分野】
【０００１】  本発明は、一膳の箸を先端側の所定部分で離脱可能に固定する箸おさめに関する。
【背景技術】
【０００２】  箸は、日本人にとって、毎日の食生活に欠かすことのできない食事用道具であり、通常、家庭内では茶碗などと共に、一人一人が自分専用の箸を使用している。そして、小、中学生の学校給食や大人の職場への弁当持参の場合でも個人専用の箸を持参している。その場合、箸は通常、スライド式のふたを有する箸箱に収納されており、搬送時に箸箱が揺れると中にある箸が箸箱の内壁に当たり音がする。
一方、和風のレストランや蕎麦屋、大衆食堂等では、不特定の人々を対象にして、予め、包み紙に封止された割り箸を複数収納した箸容れが食卓テーブルに配置されている。こうした木材製の割り箸は一回限りの使用であり、使用後は廃棄されるので、衛生面からは好ましいものの、最近の地球環境保護の観点からすると、包み紙や割り箸等の木材資源の浪費という点で問題がある。【０００３】  また、企業の社員食堂や、一部の大衆食堂では、断面が円形の、いわゆる、小豆色の上薬で表面をコーティングした箸が使い捨てにせず繰り返し使用に供されるため、その複数本が箸容れに纏めて収納されている。
また、飲食店によっては、食卓テーブルには箸が置かれておらず、厨房から食べ物をお盆に載せてテーブルまで運ぶときに、そのお盆の上に箸を載せて運ぶ場合もある。
また、日本の食習慣では、レストランであれ、家庭内であれ、ある程度フォーマルに日本食を楽しむ上で、箸休め（以下、箸置きという）が箸と共に食卓上に各人ごとに用意される。【０００４】  前述したように、箸は、日本人にとって、各個人専用の食事用道具となっており、こうした歴史的に形成された食習慣の文化と前記地球環境保護の観点とが結びついた行動として、最近では、特に女性の間で、外食をする際にも、自分が好みの箸を持参して友人等と食事を楽しむというファッション化の傾向がある。【０００５】  ところで、観光地や温泉地のホテルや旅館では、大勢の宿泊客の夕食を準備する場合、配膳作業を短時間に行う必要に迫られるが、和食の配膳では宿泊客の一人一人に料理を提供する関係から箸についても、箸置きと箸を別々に配置しており、箸は通常、前述したような包紙に密封されたものが提供される。
その場合、箸を収納する部材と箸置きとを一体化すれば、配膳作業をより簡単にすることが可能である。このようなニーズに関し、箸を収納する部材と箸置きとを一体化するようにした箸置きはすでに公知である。（特許文献１）【０００６】  特許文献１には、箸が脱落し、テーブルに接触して不衛生になったり、また、箸を載置するのに手間がかかったりしないようにすることが可能な箸置きが開示されており、その構成は、箸の一端部を上面に載置できるようにすると共に、箸の一端部を挿入可能な穴を設けたものである。さらに、特許文献１の段落００１０、００１２には、
「図１はこの箸置きの一実施形態の斜視図である。この箸置きは、紙を原料として作製されており、一方の側部が開口し、他方の側部が閉じた四角形の筒状としている。箸置きは、全長が４〜５ｃｍ程度、内部の穴３の大きさは、一膳の箸１を圧入できる程度の大きさとしている。また、穴３は、開口部４より奥の方の径が小さくなったテーパー状としており、箸１の一端部がしっかりと圧入し、箸１を傾けたり揺らしたりしても箸置きが脱落しないようになっている。
箸１は、食事の際に口や食物に触れる一端部がこの箸置きにカバーされ、箸置きを取り外さない限り、テーブル等に接触して汚れることがないようになっている。また、前述の通り、箸１を傾けたり揺らしたりしても、箸１の一端部が箸置きの穴３に圧入しており、箸１の一端部をカバーしたまま外れないので、箸１に箸置きを取り付けたまま取り扱うことができる。従って、箸１をテーブル上に正確に載置し損なったり、テーブルが揺れたりしても、箸１が箸置きから離脱して箸１の一端部がテーブルに接触することがなく、非常に衛生的である。また、箸１がバラバラにならないため、容易に手早くテーブル上に載置することが可能である。」
と記載されている。【０００７】  また、段落００１７、００１８には、
「このようにしてできた箸置きは、安価かつ軽量で、比較的自由な形状とすることができ、しかも焼却により容易に処分することが可能であり、公害の原因となることも少ない。なお、この箸置きは、前記製造方法以外でも製造することが可能であり、材料も木材や竹材、塩化ビニール、アクリル、発砲スチロール等の合成樹脂、その他適宜のものを使用することができる。木材を材料とする場合は、図１０のように、底を略コ字状にして内部の穴３に通じる開口１０を設けた形状とするとよい。このような形状であれば、穴開け等の加工がし易く、効率よく製造することができる。」と記載されている。【０００８】
【特許文献１】特開平１１−２９０８１７
【発明の開示】
【発明が解決しようとする課題】
【０００９】  しかしながら、特許文献１の開示例では、穴の内壁がテーパー状に形成されており、同穴に挿入される箸は、同文献１の図１０に示されるように、先端部分まで断面が４角形状に形成されている。このことは、穴に挿入または圧入された箸の側面を穴の内壁に密着させていることを意味しており、日本人の箸に対する感覚（当該穴の内壁が清潔であるか否かについての懸念）からは違和感がある。【００１０】  また、上記段落００１７、００１８に記載されているように、一旦使用された箸置きは使い捨て、廃棄されるものとしており、再利用することを前提にしたものではないので、資源保護や地球温暖化の観点からは好ましいことではない。
さらに、箸置きの製造段階で使用される成形金型のテーパー部分は、圧入効果を得るため使用される箸のテーパー形状に一致させる必要があり、このことは、箸のテーパー部分の形状に合った成形金型を箸とセットで準備しなければならないこととなり、特に、円錐状の丸みを有する（断面が略円形状の）箸のため、成形金型にテーパー部分を形成することは機械加工上の困難やコスト高を伴う。【００１１】  さらに、箸が一旦穴に挿入されてもその後、何らかの外力（重力や振動）が箸または箸置きに作用して、当該箸が穴から抜け出ることがある。
さらにまた、この箸置きは箸の挿入側が開口しているが、穴の先端側は開口しておらず、したがって、この箸置きをプラスチック等の合成樹脂で成形し、仮に再利用する場合でも、洗浄が十分に行われ難い等の点で構造上の問題がある。
また、箸を箸置きに挿入、圧入した状態の外観については、図２のように箸の把持部まで揃って密着しているが、一般に使用される箸は、前記把持部から徐々に先細りとなっているものの、当該箸先端から約１／３〜１／４の長さ部分における先細りテーパーの程度は、そこから把持部までのテーパーの程度より大きい。したがって、引用文献１のように、箸置き内壁のテーパー面を利用して箸先端部分を圧入すると、把持部は密着せず、離れた状態となり、外観上好ましいとはいえない。【００１２】  本発明者は上述した種々の問題点を、操作性、構造の単純さ、洗浄のし易さ、資源保護と地球温暖化への配慮等の観点から鋭意検討した結果、一膳の箸のそれぞれを、その長手方向の側面の所定部位にて保持する保持部を箸おさめ本体内に備えることで、前記の問題点が基本的に解決できることを突き止めた。
従って、本発明の目的は、使い捨てを前提とせず、洗浄が容易で、自重程度の外力では箸が容易に離脱せず且つ箸置きとしても利用可能であり、しかも、いずれの側からでも箸を挿入可能な箸おさめを提供することにある。
【課題を解決するための手段】
【００１３】  前記の目的を達成するため、本発明による箸おさめは、
箸おさめ本体の外側面の一部が箸置きとして利用可能であると共に、一膳の箸のそれぞれを、その長手方向側面の所定部位にて保持する保持部を前記本体の内側に備えたことを特徴とする。
その場合、前記箸おさめ本体は、両端部の開口した筒状、好適には４角形の筒状であって横側面壁に対応する一対の対向する第１内壁および上下の側面壁に対応する一対の対向する第２内壁を有しており、前記保持部は、一膳の箸のそれぞれの先端側が挿入される前記一方の開口端から前記箸の挿入方向に第１の所定間隔を隔てた位置にてそれぞれの箸に隣接する前記第１内壁からそれぞれ突出した部材からなる第１の保持部と、前記第１の保持部から前記他方の開口端の方へ第２の所定間隔を隔てた位置で且つ前記一対の対向する第１内壁の間の中間位置にて前記第２内壁から突出した部材からなる第２の保持部と、を備えて構成することができる。
またその場合、前記保持部には、前記一対の対向する第１内壁の間の中間位置で且つ前記箸の挿入方向に関して前記一方の開口端と前記第１の保持部との間に設けられ前記第２内壁から突出した部材からなる第３の保持部をさらに備えて構成することができる。
さらにその場合、前記第１、第２および第３の保持部の少なくとも１つは、前記箸の挿入方向に対し直角方向に弾性変形可能な部材で形成されることができる。
さらにその場合、前記第１および／または第２内壁の一部または全部は透明な部材で形成され箸の挿入状態を可視化するよう構成することができる。
さらにその場合、箸の挿入方向に関し前記第２保持部を中心にして略対称な位置に前記第１保持部および／または第３保持部を備えて構成することができる。
また、前記箸おさめ本体は、箸の挿入方向から見てメガネ状をした一対の略円形の開口部を有し、同開口部内周面にはそれぞれリング状の溝が設けられており、前記保持部は、前記リング状の溝に埋め込みまたは嵌め込まれたリング状弾性部材でその内径部は前記開口部内周面よりも小径に形成されるよう構成することができる。
【発明の効果】
【００１４】  請求項１に記載の本発明によれば、箸おさめ本体は箸置きを兼ねると共に、両端部が開口しているので洗浄が容易であり、また当該開口へ挿入された箸は箸おさめ本体に設けられている保持部により容易には離脱しないので箸おさめに装着した状態を保持することが可能であるという効果を奏する。
請求項２に記載の本発明によれば、第１内壁および第２内壁にはそれぞれ第１の保持部と第２の保持部とを備えたので、一方の開口端から所定長さの挿入された１膳の箸は、それぞれの箸の側面の異なる部位にて前記第１の保持部と第２の保持部により挟み込まれるとともに、当該箸の把持部にて互いに当接することにより保持されることが可能であり、さらに箸の先端部分は箸おさめ内に収納されているので、外部からの塵埃等による汚れを防ぐことができる。
請求項３に記載の本発明によれば、前記第２内壁においてさらに第３の保持部を設けたので、挿入されたそれぞれの箸は、第１、第２および第３の保持部により異なる３ヶ所の側面部位にて挟み込まれるようにすることが可能である。
請求項４に記載の本発明によれば、前記第１、第２および第３の保持部の少なくとも１つは、前記箸の挿入方向に対し直角方向に弾性変形可能な部材で形成されているので、箸の挿入に伴い、箸の側面部位と当該弾性変形可能な部材との接触状態を徐々に強化させることができる。
請求項５に記載の本発明によれば、第１および／または第２内壁の一部または全部は透明な部材で形成され箸の挿入状態が可視化されているので、箸の挿入状態や装着状態を容易に確認することができる。
請求項６に記載の本発明によれば、箸の挿入方向に関し前記第２保持部を中心にして略対称な位置に前記第１保持部および／または第３保持部を備えたので、いずれの開口側からでも箸を挿入することができる。
請求項７に記載の本発明によれば、開口に挿入された箸は保持部を構成するリング状弾性部材によりその側面の所定部位を周囲から押し付けられているので、離脱することがない。
【発明を実施するための最良の形態】
【００１５】  以下、本発明の実施の形態に基づく実施例について図面を参照して詳細に説明する。
第１実施形態例
図１は、本発明の第１実施形態に基づく実施例であって、同図１（ａ）において、斜視図で示される箸おさめ本体１０は、図の手前側と後方側とにそれぞれ開口部Ａ、Ｂが形成され、その側面は、上面側壁１０ａ、底面側壁１０ｂ、左右の側面壁１０ｃ、１０ｄからなり、内側が四角形の筒形状をしている。２個の鎖線で示す参照符号１１は、開口部Ａに挿入される箸の配置（断面）を示す。なお、前記左右の側面壁１０ｃ、１０ｄは本発明における第１内壁を構成しており、前記上面側壁１０ａ、底面側壁１０ｂは本発明における第２内壁を構成している。【００１６】  図１（ｂ）は、市販されている一般的な一膳の箸１２の平面図でその右方に示すように、箸１２の右端は略四角形状で丸味を持たせてある。同図に示す箸１２は、右端部から左方に向けてその太さが徐々に先細りに形成されている。その左端側からゾーンＺ１、Ｚ２、Ｚ３と定義した場合、ゾーンＺ１の傾斜はゾーンＺ２の傾斜よりも急傾斜に形成されている。ゾーンＺ３はさらに傾斜が緩やかであり、人が箸１２を持つときの把持部である。参照符号Ｃ１で示されるように、この把持部を当接させたとき、ゾーンＺ３では把持部はほぼ当接しているがゾーンＺ１、Ｚ２のところでは各箸の距離は徐々に広げられている。【００１７】  図１（ｃ）は、一膳の箸１２を箸おさめ本体１０に挿入したときの状態を示す断面図である。同図において、参照符号１４は、それぞれ側面壁１０ｃ、１０ｄから内側方向に突出した突出部であり、その先端部は各箸１２ａ、１２ｂの側面に当接している。参照符号１６は底面壁１０ｃおよび／または、上面壁１０ａから突出した略円柱状の部材であり、図示のように、突出部１４の左方側に配置されている。各箸１２ａ、１２ｂを箸おさめ本体１０の右端開口部Ａから所定長さ挿入すると、各箸１２ａ、１２ｂは図示のように、部材１６により矢視イ、ロの方への力を受けこの力は突出部１４の当接部を梃子の支点として箸１２の右端部に示す矢視イ、ロのように箸１２ａ、１２ｂを互いに当接させるよう作用する。参照符号Ｃ２はこの状態を示し、箸の右端部でのみ当接が生じていることを示す。なお、箸１２の挿入の長さは、突出部１４と部材１６の先端部の距離（箸の挿入方向と直角の方向）ｄおよび突出部１４の開口部Ａからの位置により定まる。また参照符号１４ａは、部材１６を中心にして突出部１４と略左右対称な位置に設けられることが可能なもう１つの突出部である。このように、突出部１４、１４ａを設けることで、いずれの開口部Ａ、Ｂからでも箸１２を挿入することができる。【００１８】  図１（ｄ）では、（ｃ）に対してさらに突出部１４と開口部Ａとの間に略円柱状の部材１８が設けられている。部材１６から各箸１２ａ、１２ｂが受ける力を示す矢視イ、ロはこの部材１８によりそれぞれ矢視ロ、イとして受け止められる。したがって、参照符号Ｃ３で示すように、箸１２の右端部では互いに当接せず若干離れるようになる。
なお、図１（ｄ）の例でも、突出部１４、部材１８に対応した突出部１４ａ、部材１８ａを部材１６の左方側に配置することが可能である。
また、前述した図１（ｃ）の例では、突出部１４に対し、突出部１４ａをさらに設けることにより、開口Ａ、Ｂのいずれの側からも箸を挿入可能であることを説明したが、突出部１４ａの機能としては、さらに、箸１２ａ、１２ｂの先端部分の側面が突出部１４ａに接触するまで箸１２ａ、１２ｂをも少し深く挿入させることにより、それぞれの箸が部材１６から受ける矢視イ、ロの力はそれぞれ突出部１４、１４ａのみで受けることが可能であり、その場合には箸右端部での当接状態（参照符号Ｃ２に対応）は必要要件ではなくなる。【００１９】  上述した突出部１４、１４ａおよび円柱状の部材１６、１８は箸おさめ本体１０と一体に射出成形装置により製造することができる。その場合、部材１６、１８は上面および底面の側壁の間に繋がるように形成されることができる。また、突出部１４、部材１６または１８の箸との接触面に弾力性を持たせるようにすると接触する箸の側面を損傷することがなく、さらに箸がその弾力により変形せず且つ一定の保持力を与えるので、小さな外力（箸おさめ本体から引き抜く力）では容易に離脱することがない。  なお、図１（ｃ）、（ｄ）に示すように、箸１２の挿入状態を可視化するため、例えば、上面側壁１０ａをアクリル等の樹脂で透明にするよう２色成形することもできる。また、その場合、箸おさめ全体、または他の壁部分の一部を透明な樹脂で成形するようにしても良い。【００２０】  なお、図１（ｃ）、（ｄ）において、突出部１４ａ、部材１８ａを設けない場合には、箸１２を開口Ａの側から挿入しなければならないので、この挿入方向を明示するために、箸おさめ本体１０の側面または上面に、「左右無用」とか、開口Ａの近傍に「挿入側」との記載、あるいは単に矢印を表示するとか、色で識別するとかの適宜手段を付加することも可能である。また、箸おさめ本体の上下の面を明確にするため、「天地無用」、または単に「上面」とかの表示や、側壁面に上向きの矢印を表示することができる。このようにすることで、ホテル等多くの宿泊客に対し短時間で配膳の準備をする際に、箸おさめに箸を挿入する作業をスムースに遂行することができる。【００２１】第２実施形態例
図２は、本発明の第２実施形態に基づく実施例であって、同図２（ａ）において、下方の図は、メガネ状の開口２２ａ、２２ｂを形成した箸おさめ本体２０の正面図を示し、上方の図はその平面図である。平面図の一部に破断して示されるように、開口２２ａの内周面に形成された溝にはｏ−リング２４が嵌め込まれており、同ｏ−リング２４の内径は開口２２ａの内径より小径である。したがって、箸を挿入していくと所定の部位で当該箸の側面はｏ−リング２４の内周と接触し、さらに周囲から押し付けられた状態でｏ−リング２４に保持されるようになっている。【００２２】  ｏ−リング２４に代えて、シリコンゴム等の液状のものを前記溝へ流し込み、一定時間後にゴム弾性を有するものを使用することも可能である。参照符号２６は、箸おさめ本体２０の上面を箸置きとして利用する際に、箸が左右端部から落下するのを防止するための堤を示す。鎖線で示す参照符号２８は、箸おさめ本体２０の一側から挿入した箸の先端部分が反対側で露出するのを防止するためのケースであって、本体２０に容易に着脱可能、または固着して取り付けることが可能である。【００２３】  なお、前記堤２６は上面側の両端部に突出部として設けられているが、破線２６ｂで示すように、両端部から上面中央部まで緩やかな下り傾斜面を有するようにしても同様な効果が期待できる。
鎖線２６ａで示したものは、箸おさめ本体２０を積み重ねて多数保管する場合に便宜なように、底面を図のように段差を形成し上面側の堤２６の間に挿入できるようにしたものである。【００２４】  図２（ｂ）は、さらに他の実施例であって、一対のｏ−リング３２、３４を接着剤３６により接着してメガネ状の箸おさめ本体３０を形成したものである。この例では、前述したように、箸は開口３２ａ、３４ａに挿入することにより保持されるが、その際、このメガネ状の箸おさめ本体３０はある程度傾斜する。なお、箸置きとして利用する場合には、水平状態にして利用することができる。【００２５】  図３は、左右方向を箸の挿入方向としたときの本発明による箸おさめ側面図である。
同図３において、箸おさめ本体４０の上面側および下面側には箸置き用の凹部４０ａ、４０ｂがそれぞれ形成されている。なお、参照符号１４、１４ａ、１６は、それぞれ、図１（ｃ）の突出部、略円柱状の部材に対応している。図３に示される箸おさめの場合は、凹部４０ａ、４０ｂがそれぞれ箸おさめ本体４０の上面側および下面側に設けられているので、左右はもちろん、上下を逆にしても箸の挿入・保持が可能であり、箸置きとしてもそのまま利用可能である。さらに、凹部４０ａ、４０ｂの両側に続く平坦面が形成されているので、積み重ねることも可能であり、その際、箸おさめについて上下、左右の姿勢判別をする必要がないので、一度に数多くの箸おさめを扱う場合の手間を大幅に軽減することが可能となる。【００２６】  以上本発明の好適な実施例について図面を参照して説明したが、当業者であれば、種々の変形をすることが可能である。例えば、前記突出部１４、１４ａの表面に弾性を有する液状部材をコーティングすること、箸おさめ本体の外周面に、ホテル名、特定の商品等の文字やマークの刻印または広告用シールを貼り付けること、などにより箸おさめの広告的機能を新たに付加することなどを挙げることができる。
また、図１（ａ）では、箸おさめ本体１０を射出成形により一体的な単一成形品として例示したが、側面壁１０ｃ、１０ｄを上下に分割した２つの部材として成形したものを蝶番等により一側から開閉できるようにしたもの、あるいは、これら２つの部材の当接部に摺動部を設けスライドさせることで離脱することも可能であり、その際、摺動部にマグネットを埋め込むようにして離脱に対する抵抗を付加しても良い。【００２７】  また、図１（ｃ）、（ｄ）において、底面壁１０ｂに略円柱状の部材１６、１８に該当する部分を開口として成形し、後に略円柱状の部材１６、１８を組み入れるようにしても良い。このようにすれば、部材１６，１８の材質を射出成形条件と関係なく、別途構成することができ、合成ゴムなどの利用が可能である。
またさらに、図１（ａ）に示した箸おさめ本体１０の上面および／または、下面は、図２（ａ）に例示した堤２６（緩やかな傾斜の場合を含む）、段差２６ａを有するよう構成しても良いし、また、図３に示すように、上下、左右不問の形状とすることも可能である。
【図面の簡単な説明】
【００２８】
【図１】本発明の第１実施形態に基づく実施例を説明する図であって、（ａ）は、箸おさめ本体の斜視図、（ｂ）は、市販されている一般的な一膳の箸の平面図、（ｃ）は、一膳の箸を箸おさめ本体に挿入したときの状態を示す断面図、（ｄ）は、（ｃ）においてさらに突出部と開口部との間に略円柱状の部材を付加した図である。
【図２】本発明の第２実施形態に基づく実施例を説明する図であって、（ａ）は、メガネ状の箸おさめ本体の正面および平面図、（ｂ）は、ｏ−リングを接着して形成した他のガネ状の箸おさめ本体を示す図である。
【図３】左右方向を箸の挿入方向としたときの本発明による箸おさめ側面図である。
【符号の説明】
【００２９】  １０、２０、３０、４０      箸おさめ本体
１２      一膳の箸
１４      突出部
１６、１８      略円柱状の部材
２４、３２、３４      ｏ−リング
２６      堤
２８      ケース
３６      接着剤
【図１】
2009273854.tif 000003
【図２】
2009273854.tif 000004
【図３】
2009273854.tif 000005